(57)【特許請求の範囲】
【請求項１】
画像形成装置であって、
印刷ジョブの実行指示を受け付ける指示受付手段と、
前記指示受付手段にて前記印刷ジョブの実行指示を受け付けた場合に、前記画像形成装置を操作中のユーザーが存在するか否かを判別する判別手段と、
前記印刷ジョブの実行方法を決定する決定手段とを備え、
前記決定手段は、前記画像形成装置を操作中のユーザーが存在すると前記判別手段にて判別した場合の前記印刷ジョブの実行方法を、前記画像形成装置を操作中のユーザーが存在しないと前記判別手段にて判別した場合の前記印刷ジョブの実行方法とは異なる方法に変更し、
前記印刷ジョブの実行方法の設定を受け付ける方法設定受付手段をさらに備え、
前記決定手段は、前記画像形成装置を操作中のユーザーが存在すると前記判別手段にて判別した場合の前記印刷ジョブの実行方法を、前記方法設定受付手段にて受け付けた設定に基づいて決定する、画像形成装置。
【請求項２】
前記決定手段は、前記画像形成装置を操作中のユーザーが存在しないと前記判別手段にて判別した場合の前記印刷ジョブの実行方法を、前記画像形成装置から印刷物を出力する方法に決定し、
前記決定手段は、前記画像形成装置を操作中のユーザーが存在すると前記判別手段にて判別した場合の前記印刷ジョブの実行方法を、前記画像形成装置を操作中のユーザーが操作を終了した後で前記画像形成装置から印刷物を出力する方法、前記印刷ジョブの印刷データを前記画像形成装置に保存する方法、前記画像形成装置を操作中のユーザーが存在しないと前記判別手段にて判別した場合の印刷速度よりも低速で前記画像形成装置から印刷物を出力する方法、および前記画像形成装置とは異なる他の画像形成装置から印刷物を出力する方法のうち少なくともいずれか１つの方法に決定する、請求項１に記載の画像形成装置。
【請求項３】
前記画像形成装置の操作を受け付ける特定のモードに前記画像形成装置の状態を移行させる操作を受け付ける移行受付手段をさらに備え、
前記判別手段は、前記画像形成装置の状態が前記特定のモードであるか否かに基づいて、前記画像形成装置を操作中のユーザーが存在するか否かを判別する、請求項１または２に記載の画像形成装置。
【請求項４】
前記判別手段は、前記画像形成装置の状態が前記特定のモードである場合において、前記画像形成装置が最後に操作されてから所要の時間が経過していないときは、前記画像形成装置を操作中のユーザーが存在すると判別し、
前記判別手段は、前記画像形成装置の状態が前記特定のモードである場合において、前記画像形成装置が最後に操作されてから所要の時間が経過しているときは、前記画像形成装置を操作中のユーザーが存在しないと判別する、請求項３に記載の画像形成装置。
【請求項５】
操作表示部をさらに備え、
前記特定のモードは、前記操作表示部の外周を構成する辺を下側とし、前記操作表示部の中心を上側とした態様で複数の画像を前記操作表示部に表示し、前記複数の画像の各々への操作を、前記操作表示部を通じて受け付ける会議モードである、請求項３または４に記載の画像形成装置。
【請求項６】
前記方法設定受付手段は、前記指示受付手段にて前記印刷ジョブの実行指示を受け付ける前に、前記印刷ジョブの実行方法の設定を受け付ける事前受付手段を含む、請求項１〜５のいずれかに記載の画像形成装置。
【請求項７】
前記事前受付手段は、前記印刷ジョブの予想される所要時間および前記印刷ジョブを実行したユーザーを特定する情報のうち少なくともいずれか１つに応じた前記印刷ジョブの実行方法の設定を受け付ける、請求項６に記載の画像形成装置。
【請求項８】
前記方法設定受付手段は、前記指示受付手段にて前記印刷ジョブの実行指示を受け付けた後で、前記印刷ジョブの実行方法の設定を受け付ける事後受付手段を含む、請求項１〜７のいずれかに記載の画像形成装置。
【請求項９】
前記方法設定受付手段は、前記事後受付手段にて前記印刷ジョブの実行方法の設定を受け付ける場合に、前記印刷ジョブに関する情報を表示する情報表示手段をさらに含む、請求項８に記載の画像形成装置。
【請求項１０】
前記印刷ジョブに関する情報は、前記印刷ジョブの予想される所要時間および前記印刷ジョブの実行指示を行ったユーザーを特定する情報のうち少なくともいずれか１つを含む、請求項９に記載の画像形成装置。
【請求項１１】
前記指示受付手段は、前記画像形成装置と通信可能な端末を通じて前記印刷ジョブの実行指示を受け付け、
前記事後受付手段は、前記端末を通じて前記印刷ジョブの実行方法の設定を受け付ける、請求項８〜１０のいずれかに記載の画像形成装置。
【請求項１２】
画像形成装置の制御プログラムであって、
印刷ジョブの実行指示を受け付ける指示受付ステップと、
前記指示受付ステップにて前記印刷ジョブの実行指示を受け付けた場合に、前記画像形成装置を操作中のユーザーが存在するか否かを判別する判別ステップと、
前記印刷ジョブの実行方法を決定する決定ステップとをコンピューターに実行させ、
前記決定ステップにおいて、前記画像形成装置を操作中のユーザーが存在すると前記判別ステップにて判別した場合の前記印刷ジョブの実行方法を、前記画像形成装置を操作中のユーザーが存在しないと前記判別ステップにて判別した場合の前記印刷ジョブの実行方法とは異なる方法に変更し、
前記印刷ジョブの実行方法の設定を受け付ける方法設定受付ステップをさらにコンピューターに実行させ、
前記決定ステップにおいて、前記画像形成装置を操作中のユーザーが存在すると前記判別ステップにて判別した場合の前記印刷ジョブの実行方法を、前記方法設定受付ステップにて受け付けた設定に基づいて決定する、画像形成装置の制御プログラム。
【発明の詳細な説明】
【技術分野】
【０００１】
本発明は、画像形成装置および画像形成装置の制御プログラムに関する。より特定的には、本発明は、利便性の高い画像形成装置および画像形成装置の制御プログラムに関する。
【背景技術】
【０００２】
電子写真式の画像形成装置には、スキャナー機能、ファクシミリ機能、複写機能、プリンターとしての機能、データ通信機能、およびサーバー機能を備えたＭＦＰ（Ｍｕｌｔｉ  Ｆｕｎｃｔｉｏｎ  Ｐｅｒｉｐｈｅｒａｌ）、ファクシミリ装置、複写機、プリンターなどがある。
【０００３】
画像形成装置の中には、ディスプレイとタッチパネルとを有するタッチパネルディスプレイ（操作パネル）を含んでいるものが多い。タッチパネルディスプレイを含む画像形成装置によれば、ユーザーは、タッチパネルディスプレイを操作することにより印刷やコピーなどのジョブの実行指示を行うことができる。また、近年のディスプレイの大型化に伴い、大型のタッチパネルディスプレイが画像形成装置の上面全体を占めるような構成も想定されている。このような大型のタッチパネルディスプレイを搭載した画像形成装置によれば、複数のユーザーが画像形成装置を同時に操作することができる。また、タッチパネルディスプレイに複数の同一のドキュメント（画像）を表示することで、複数のユーザーがドキュメントを共有して会議を行うことが可能となる。
【０００４】
なお、大型のタッチパネルディスプレイを備えた画像形成装置に関する技術は、たとえば下記特許文献１などに開示されている。下記特許文献１には、タッチパネルディスプレイのパネルの各外郭辺を表示上の下側、パネル外郭辺からパネル中心に向けた方向を表示上の上側とした向きで、複数のユーザーの各々のデスクトップ画面を表示するよう、タッチパネルディスプレイの表示を制御する情報処理装置が開示されている。
【先行技術文献】
【特許文献】
【０００５】
【特許文献１】特開２０１３−１２５５５１号公報
【発明の概要】
【発明が解決しようとする課題】
【０００６】
ユーザーが画像形成装置のタッチパネルディスプレイを操作中に、他のユーザーがネットワークに接続された端末から画像形成装置に対してプリントジョブの実行指示を行い、画像形成装置から印刷物が出力される場合がある。この場合、タッチパネルディスプレイを操作中のユーザーの利便性が損なわれるという問題があった。
【０００７】
具体的には、上記の場合、印刷ジョブにより画像形成装置の負荷が増加し、タッチパネルディスプレイへ表示する画像の処理速度や、タッチパネルディスプレイを通じて受け付けた操作の処理速度が低下することがあった。また、印刷の際のエンジン動作による音、または印刷の際のファンの回転による音、排気風、もしくはにおいなどにより、タッチパネルを操作中のユーザーに不快感を与えることがあった。
【０００８】
特に、複数のユーザーが画像形成装置を用いて会議中である場合、上述の要因は会議の妨げとなり、会議中である複数のユーザーの利便性が著しく損なわれていた。さらに、画像形成装置に印刷物を取りに来たユーザーのために会議中であるユーザーが場所を移動する必要が生じ、会議の妨げとなっていた。
【０００９】
本発明は、上記課題を解決するためのものであり、その目的は、利便性の高い画像形成装置および画像形成装置の制御プログラムを提供することである。
【課題を解決するための手段】
【００１０】
本発明の一の局面に従う画像形成装置は、印刷ジョブの実行指示を受け付ける指示受付手段と、指示受付手段にて印刷ジョブの実行指示を受け付けた場合に、画像形成装置を操作中のユーザーが存在するか否かを判別する判別手段と、印刷ジョブの実行方法を決定する決定手段とを備え、決定手段は、画像形成装置を操作中のユーザーが存在すると判別手段にて判別した場合の印刷ジョブの実行方法を、画像形成装置を操作中のユーザーが存在しないと判別手段にて判別した場合の印刷ジョブの実行方法とは異なる方法に変更し、印刷ジョブの実行方法の設定を受け付ける方法設定受付手段をさらに備え、決定手段は、画像形成装置を操作中のユーザーが存在すると判別手段にて判別した場合の印刷ジョブの実行方法を、方法設定受付手段にて受け付けた設定に基づいて決定する。
【００１１】
上記画像形成装置において好ましくは、決定手段は、画像形成装置を操作中のユーザーが存在しないと判別手段にて判別した場合の印刷ジョブの実行方法を、画像形成装置から印刷物を出力する方法に決定し、決定手段は、画像形成装置を操作中のユーザーが存在すると判別手段にて判別した場合の印刷ジョブの実行方法を、画像形成装置を操作中のユーザーが操作を終了した後で画像形成装置から印刷物を出力する方法、印刷ジョブの印刷データを画像形成装置に保存する方法、画像形成装置を操作中のユーザーが存在しないと判別手段にて判別した場合の印刷速度よりも低速で画像形成装置から印刷物を出力する方法、および画像形成装置とは異なる他の画像形成装置から印刷物を出力する方法のうち少なくともいずれか１つの方法に決定する。
【００１２】
上記画像形成装置において好ましくは、画像形成装置の操作を受け付ける特定のモードに画像形成装置の状態を移行させる操作を受け付ける移行受付手段をさらに備え、判別手段は、画像形成装置の状態が特定のモードであるか否かに基づいて、画像形成装置を操作中のユーザーが存在するか否かを判別する。
【００１３】
上記画像形成装置において好ましくは、判別手段は、画像形成装置の状態が特定のモードである場合において、画像形成装置が最後に操作されてから所要の時間が経過していないときは、画像形成装置を操作中のユーザーが存在すると判別し、判別手段は、画像形成装置の状態が特定のモードである場合において、画像形成装置が最後に操作されてから所要の時間が経過しているときは、画像形成装置を操作中のユーザーが存在しないと判別する。
【００１４】
上記画像形成装置において好ましくは、操作表示部をさらに備え、特定のモードは、操作表示部の外周を構成する辺を下側とし、操作表示部の中心を上側とした態様で複数の画像を操作表示部に表示し、複数の画像の各々への操作を、操作表示部を通じて受け付ける会議モードである。
【００１６】
上記画像形成装置において好ましくは、方法設定受付手段は、指示受付手段にて前記印刷ジョブの実行指示を受け付ける前に、印刷ジョブの実行方法の設定を受け付ける事前受付手段を含む。
【００１７】
上記画像形成装置において好ましくは、事前受付手段は、印刷ジョブの予想される所要時間および印刷ジョブを実行したユーザーを特定する情報のうち少なくともいずれか１つに応じた印刷ジョブの実行方法の設定を受け付ける。
【００１８】
上記画像形成装置において好ましくは、方法設定受付手段は、指示受付手段にて印刷ジョブの実行指示を受け付けた後で、印刷ジョブの実行方法の設定を受け付ける事後受付手段を含む。
【００１９】
上記画像形成装置において好ましくは、方法設定受付手段は、事後受付手段にて印刷ジョブの実行方法の設定を受け付ける場合に、印刷ジョブに関する情報を表示する情報表示手段をさらに含む。
【００２０】
上記画像形成装置において好ましくは、印刷ジョブに関する情報は、印刷ジョブの予想される所要時間および印刷ジョブの実行指示を行ったユーザーを特定する情報のうち少なくともいずれか１つを含む。
【００２１】
上記画像形成装置において好ましくは、指示受付手段は、画像形成装置と通信可能な端末を通じて印刷ジョブの実行指示を受け付け、事後受付手段は、端末を通じて印刷ジョブの実行方法の設定を受け付ける。
【００２２】
本発明の他の局面に従う画像形成装置の制御プログラムは、印刷ジョブの実行指示を受け付ける指示受付ステップと、指示受付ステップにて印刷ジョブの実行指示を受け付けた場合に、画像形成装置を操作中のユーザーが存在するか否かを判別する判別ステップと、印刷ジョブの実行方法を決定する決定ステップとをコンピューターに実行させ、決定ステップにおいて、画像形成装置を操作中のユーザーが存在すると判別ステップにて判別した場合の印刷ジョブの実行方法を、画像形成装置を操作中のユーザーが存在しないと判別ステップにて判別した場合の印刷ジョブの実行方法とは異なる方法に変更し、印刷ジョブの実行方法の設定を受け付ける方法設定受付ステップをさらにコンピューターに実行させ、決定ステップにおいて、画像形成装置を操作中のユーザーが存在すると判別ステップにて判別した場合の印刷ジョブの実行方法を、方法設定受付ステップにて受け付けた設定に基づいて決定する。
【発明の効果】
【００２３】
本発明によれば、利便性の高い画像形成装置および画像形成装置の制御プログラムを提供することができる。
【図面の簡単な説明】
【００２４】
【図１】本発明の第１〜第４の実施の形態における画像形成システムの機能的構成を示すブロック図である。
【図２】本発明の第１〜第４の実施の形態における画像形成システムの動作の概要を説明する図である。
【図３】本発明の第１の実施の形態における画像形成システムの動作を説明する図である。
【図４】本発明の第１の実施の形態においてタッチパネルディスプレイ１２０に表示される受付画面を模式的に示す図である。
【図５】本発明の第１の実施の形態におけるＭＦＰ１００の動作を示すフローチャートである。
【図６】本発明の第２の実施の形態における画像形成システムの動作を説明する図である。
【図７】本発明の第１の実施の形態においてタッチパネルディスプレイ１２０に表示されるポップアップイメージＰＰ１を模式的に示す図である。
【図８】本発明の第１の実施の形態においてポップアップイメージＰＰ１が押下された場合にタッチパネルディスプレイ１２０に表示されるポップアップイメージＰＰ２を模式的に示す図である。
【図９】本発明の第２の実施の形態におけるＭＦＰ１００の動作を示すフローチャートである。
【図１０】図９の実行方法決定処理（Ｓ２０５）のサブルーチンである。
【図１１】本発明の第３の実施の形態における画像形成システムの動作を説明する図である。
【図１２】本発明の第３の実施の形態におけるＭＦＰ１００の動作を示すフローチャートである。
【図１３】本発明の第４の実施の形態における画像形成システムの動作を説明する図である。
【図１４】本発明の第４の実施の形態における、ＭＦＰ１００が現在会議モードである旨を通知するポップアップイメージＰＰ３を模式的に示す図である。
【図１５】本発明の第４の実施の形態における、ＭＦＰ１００が現在会議モードである旨を通知するポップアップイメージＰＰ４を模式的に示す図である。
【図１６】本発明の第４の実施の形態におけるＭＦＰ１００の動作を示すフローチャートである。
【図１７】図１６の実行方法決定処理（Ｓ４０１）のサブルーチンである。
【発明を実施するための形態】
【００２５】
以下の実施の形態では、画像形成装置がＭＦＰである場合について説明する。画像形成装置は、ファクシミリ装置、複写機、またはプリンターなどのＭＦＰ以外の画像形成装置であってもよい。
【００２６】
［第１の実施の形態］
【００２７】
図１は、本発明の第１〜第４の実施の形態における画像形成システムの機能的構成を示すブロック図である。
【００２８】
図１を参照して、画像形成システムは、ＭＦＰ１００と、端末２００とを備えている。ＭＦＰ１００と端末２００とは、ネットワーク３００を通じて相互に接続されており、相互に通信を行う。
【００２９】
ネットワーク３００は、たとえば有線または無線のＬＡＮ（Ｌｏｃａｌ  Ａｒｅａ  Ｎｅｔｗｏｒｋ）などの専用回線を用いたものである。ネットワーク３００は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）のプロトコルを用いて各種機器を接続する。ネットワーク３００に接続された機器は、お互いに各種データのやり取りが可能となっている。なお、画像形成システムは、ネットワーク３００に接続された上述以外の機器を備えていてもよい。
【００３０】
ＭＦＰ１００は、システムコントローラー１０１と、表示部１０２と、操作部１０３と、無線通信制御部１０４と、顔認識部１０５と、音声認識部１０６と、記憶装置１０７と、出力画像処理部１０８と、プリンターエンジン１０９と、ネットワークインターフェース１１０と、メモリ１１１と、入力画像処理部１１２と、撮像部１１３と、タッチパネルディスプレイ１２０（操作表示部の一例）とを含んでいる。システムコントローラー１０１と、表示部１０２、操作部１０３、無線通信制御部１０４、顔認識部１０５、音声認識部１０６、記憶装置１０７、出力画像処理部１０８、プリンターエンジン１０９、ネットワークインターフェース１１０、メモリ１１１、入力画像処理部１１２、および撮像部１１３の各々とは、相互に接続されている。
【００３１】
システムコントローラー１０１は、ＭＦＰ１００全体を制御する。システムコントローラー１０１は、ＣＰＵ（Ｃｅｎｔｒａｌ  Ｐｒｏｃｅｓｓｉｎｇ  Ｕｎｉｔ）１０１ａと、ＲＯＭ１０１ｂとを含んでいる。ＣＰＵ１０１ａは制御プログラムに従って動作する。ＲＯＭ１０１ｂは制御プログラムを記憶している。
【００３２】
表示部１０２は、タッチパネルディスプレイ１２０に対して各種情報を表示する。
【００３３】
操作部１０３は、タッチパネルディスプレイ１２０を通じて各種操作を受け付ける。
【００３４】
無線通信制御部１０４は、外部の端末との無線ＬＡＮ接続や、外部の端末からのｉＢｅａｃｏｎの電波の受信などを行う。
【００３５】
顔認識部１０５は、ユーザーの顔や全体像を撮影し、顔認識および特徴点判別を行い、ユーザーを認識する。
【００３６】
音声認識部１０６は、ユーザーの声に基づいて声紋分析を行い、ユーザー認識する。また音声認識部１０６は、入力した音声を識別し、認識した音声ワードと紐付けてあるメニューなどの項目を設定する。
【００３７】
記憶装置１０７は、ハードディスク装置などであり、各種情報を記憶する。
【００３８】
出力画像処理部１０８は、画像データを処理して印刷データを作成する。
【００３９】
プリンターエンジン１０９は、出力画像処理部１０８で作成した印刷データを用紙に印刷する。プリンターエンジン１０９は、おおまかに、トナー像形成部、定着装置、および用紙搬送部などで構成される。プリンターエンジン１０９は、たとえば電子写真方式で用紙に画像を形成する。トナー像形成部は、いわゆるタンデム方式で４色の画像を合成し、用紙にカラー画像を形成する。トナー像形成部は、Ｃ（シアン）、Ｍ（マゼンタ）、Ｙ（イエロー）、Ｋ（ブラック）の各色について設けられた感光体と、感光体からトナー像が転写（１次転写）される中間転写ベルトと、中間転写ベルトから用紙に画像を転写（２次転写）する転写部などで構成される。定着装置は、加熱ローラーおよび加圧ローラーを有する。定着装置は、加熱ローラーと加圧ローラーとでトナー像が形成された用紙を挟みながら搬送し、その用紙に加熱および加圧を行なう。これにより、定着装置は、用紙に付着したトナーを溶融させて用紙に定着させ、用紙に画像を形成する。用紙搬送部は、給紙ローラー、搬送ローラー、およびそれらを駆動するモーターなどで構成されている。用紙搬送部は、用紙を給紙カセットから給紙して、ＭＦＰ１００の筐体の内部で搬送する。また、用紙搬送部は、画像が形成された用紙をＭＦＰ１００の筐体から排紙トレイなどに排出する。
【００４０】
ネットワークインターフェース１１０は、システムコントローラー１０１の制御の下、ネットワーク３００を通じて外部の機器と通信を行う。
【００４１】
メモリ１１１は、画像などの各種情報を一時的に記憶する。
【００４２】
入力画像処理部１１２は、撮像部１１３で読み取った入力画像データを処理する。
【００４３】
撮像部１１３は、画像を読み取る。
【００４４】
ＭＦＰ１００がプリンターとして動作する場合、画像は、プリンターエンジン１０９により印刷される。ＭＦＰ１００が複写機として動作する場合、原稿の画像は撮像部１１３により読み取られ、その画像はプリンターエンジン１０９により印刷される。なお、ＭＦＰ１００のファクシミリ機能については、その図示および説明を省略する。
【００４５】
端末２００は、制御部２０１と、表示部２０２と、操作部２０３と、ネットワークインターフェース２０４と、記憶装置２０５と、メモリ２０６とを備えている。制御部２０１と、表示部２０２、操作部２０３、ネットワークインターフェース２０４、記憶装置２０５、およびメモリ２０６の各々とは、相互に接続されている。
【００４６】
制御部２０１は、端末２００全体の動作を制御する。制御部２０１は、ＣＰＵ２０１ａと、ＲＯＭ２０１ｂとを含んでいる。ＣＰＵ２０１ａは制御プログラムに従って動作する。ＲＯＭ２０１ｂは制御プログラムを記憶している。
【００４７】
表示部２０２は、各種情報を表示する。
【００４８】
操作部２０３は、各種操作を受け付ける。
【００４９】
ネットワークインターフェース２０４は、制御部２０１の制御の下、ネットワーク３００を通じて外部の機器と通信を行う。
【００５０】
記憶装置２０５は、印刷ジョブの対象となる画像などの各種情報を記憶する。
【００５１】
メモリ２０６は、画像などの各種情報を一時的に記憶する。
【００５２】
図２は、本発明の第１〜第４の実施の形態における画像形成システムの動作の概要を説明する図である。
【００５３】
図２を参照して、ＭＦＰ１００の上部には、大型のタッチパネルディスプレイ１２０が設けられている。タッチパネルディスプレイ１２０は、略水平な表示面を有しており、略矩形を有している。ＭＦＰ１００は、タッチパネルディスプレイ１２０を通じて会議モード（特定のモードの一例）に移行させる操作を受け付けた場合に、ＭＦＰ１００の状態を会議モードに移行する。会議モードとは、タッチパネルディスプレイ１２０の外周を構成する辺を下側とし、タッチパネルディスプレイ１２０の中心を上側とした態様で複数の画像をタッチパネルディスプレイ１２０に表示し、複数の画像の各々への操作を、タッチパネルディスプレイ１２０を通じて受け付ける会議モードである。会議モードは、ＭＦＰ１００を用いて複数の参加者ＭＢによる会議を行う場合のモードである。
【００５４】
端末２００は、ユーザーＵＲの操作に従って、ネットワーク３００を通じてＭＦＰ１００に対して印刷ジョブの実行指示を送信する（印刷ジョブを投入する）。この印刷ジョブは、ＭＦＰ１００から印刷物を出力するジョブである。
【００５５】
ＭＦＰ１００は、印刷ジョブの実行指示を受け付けた場合に、ＭＦＰ１００を操作中のユーザーが存在するか否かを判別する。ＭＦＰ１００は、ＭＦＰ１００を操作中のユーザーが存在すると判別した場合の印刷ジョブの実行方法を、ＭＦＰ１００を操作中のユーザーが存在しないと判別した場合の印刷ジョブの実行方法とは異なる方法に変更する。
【００５６】
図３は、本発明の第１の実施の形態における画像形成システムの動作を説明する図である。
【００５７】
図３（ａ）を参照して、ＭＦＰ１００は、「会議モード」キーＫＹ５１をタッチパネルディスプレイ１２０に表示している。複数の参加者ＭＢのうちいずれかの参加者ＭＢは、ＭＦＰ１００を用いた会議を開始する際に、ＭＦＰ１００にログインし、キーＫＹ５１を押下する。ＭＦＰ１００は、キーＫＹ５１の押下を受け付けると、ＭＦＰ１００の状態を会議モードに移行させる操作を受け付ける（処理ＰＲ１）。なお、ＭＦＰ１００は、会議モードに移行させる操作を受け付けた場合に、タッチパネルディスプレイ１２０を通じて会議の終了時間の入力を受け付けてもよい。
【００５８】
ＭＦＰ１００は、会議モードに移行させる操作を受け付けた場合に、タッチパネルディスプレイ１２０に受付画面を表示する。そしてＭＦＰ１００は、この受付画面を通じて、会議モード中に受け付けた印刷ジョブの実行方法の設定を参加者ＭＢから受け付ける（処理ＰＲ２）。またＭＦＰ１００は、ＭＦＰ１００の状態を会議モードに移行させる操作を受け付けた場合に、会議モードに移行する（処理ＰＲ３）。
【００５９】
図４は、本発明の第１の実施の形態においてタッチパネルディスプレイ１２０に表示される受付画面を模式的に示す図である。
【００６０】
図４を参照して、受付画面は、会議中に受け付けた印刷ジョブの実行方法の設定を要求するメッセージと、キーＫＹ１、ＫＹ２、ＫＹ３、ＫＹ４、ＫＹ５、およびＫＹ６とを含んでいる。キーＫＹ１は、会議モードが終了した後（ＭＦＰ１００を操作中のユーザーが操作を終了した後）でＭＦＰ１００から印刷ジョブの印刷物を出力する設定を受け付けるものである。
【００６１】
キーＫＹ２およびＫＹ３は、会議モードが終了した後でＭＦＰ１００から印刷ジョブの印刷物を出力する場合（キーＫＹ１が押下された場合）の例外の条件の設定を受け付けるものである。キーＫＹ２が押下された場合、ＭＦＰ１００は、会議モードであってもＭＦＰ１００からの印刷物の出力を例外的に許可するユーザーの登録を受け付ける画面に移行する。ＭＦＰ１００は、ＭＦＰ１００からの印刷物の出力を例外的に許可するユーザーとして、たとえばユーザーのＩＤ（Ｉｄｅｎｔｉｆｉｃａｔｉｏｎ）の登録を受け付けてもよいし、ユーザーの職位や所属先などの登録を受け付けてもよい。
【００６２】
キーＫＹ３が押下された場合、ＭＦＰ１００は、会議モードであってもＭＦＰ１００からの印刷物の出力を例外的に許可する印刷ジョブの条件の登録を受け付ける画面に移行する。ＭＦＰ１００は、ＭＦＰ１００からの印刷物の出力を例外的に許可する印刷ジョブの条件として、たとえば印刷ジョブの印刷ページ数の登録を受け付けてもよいし、印刷ジョブの予想される所要時間の登録を受け付けてもよい。印刷ジョブの印刷ページ数が少ない場合や印刷ジョブの所要時間が短い場合には、会議へ及ぼす影響が比較的小さいためである。
【００６３】
なお、ＭＦＰ１００からの印刷物の出力を例外的に許可された印刷ジョブは、後述する静音モードで出力されることが好ましい。キーＫＹ２またはＫＹ３を設けることで、参加者ＭＢは、印刷ジョブの予想される所要時間や印刷ジョブを実行したユーザーを特定する情報などに応じた印刷ジョブの実行方法の設定を行うことができる。
【００６４】
キーＫＹ４は、静音モードでＭＦＰ１００から印刷物を出力する設定を受け付けるものである。静音モードとは、ＭＦＰ１００を操作中のユーザーが存在しない場合の印刷速度（通常の印刷速度）よりも低速でＭＦＰ１００から印刷物を出力するモードである。キーＫＹ５は、ＭＦＰ１００から印刷ジョブの印刷物を出力せずに、印刷ジョブの印刷データをＭＦＰ１００の記憶装置１０７内のボックスに保存する設定を受け付けるものである。キーＫＹ６は、ＭＦＰ１００とは異なる他の画像形成装置から印刷物を出力する（他の画像形成装置に印刷ジョブを転送する）設定を受け付けるものである。
【００６５】
受付画面は、印刷ジョブの予想される所要時間および印刷ジョブを実行したユーザーを特定する情報のうち少なくともいずれか１つに応じた印刷ジョブの実行方法の設定を受け付けることが好ましい。
【００６６】
なお、ＭＦＰ１００は、会議モードである場合に、常にデフォルトの設定（たとえば会議モードが終了した後で、ＭＦＰ１００から印刷ジョブの印刷物を出力する設定）としてもよい。この場合、参加者ＭＢから設定を受け付ける必要がなくなる。
【００６７】
図３（ｂ）を参照して、ＭＦＰ１００は、会議モードである場合には、タッチパネルディスプレイ１２０の外周を構成する辺を下側とし、タッチパネルディスプレイ１２０の中心を上側とした態様で複数の画像ＩＭをタッチパネルディスプレイ１２０に表示する。ＭＦＰ１００は、複数の画像ＩＭの各々への操作を、タッチパネルディスプレイ１２０を通じて受け付ける。
【００６８】
ユーザーＵＲは、端末２００を用いて、ネットワーク３００を通じてＭＦＰ１００に対して印刷ジョブの実行指示を送信する。ＭＦＰ１００は、ネットワークインターフェース１１０を通じてこの印刷ジョブの実行指示を受け付けると（処理ＰＲ４）、ＭＦＰ１００を操作中のユーザーが存在するか否かを判別する。
【００６９】
本実施の形態では、ＭＦＰ１００の状態が会議モードであるか否かに基づいて、ＭＦＰ１００を操作中のユーザーが存在するか否かが判別される。すなわち、ＭＦＰ１００の状態が会議モードである場合に、ＭＦＰ１００は、ＭＦＰ１００を操作中のユーザーが存在すると判別する。ＭＦＰ１００を操作中のユーザーが存在すると判別した場合、ＭＦＰ１００は、事前に設定を受け付けた印刷ジョブの実行方法（図４に示す画面を通じて受け付けた実行方法）に、印刷ジョブの実行方法を変更（決定）する（処理ＰＲ５）。ＭＦＰ１００は、印刷ジョブの実行方法を変更した場合、その旨を端末２００に通知してもよい。
【００７０】
一方、ＭＦＰ１００の状態が会議モードではない場合には、ＭＦＰ１００は、ＭＦＰ１００を操作中のユーザーが存在しないと判別する。ＭＦＰ１００を操作中のユーザーが存在しないと判別した場合、ＭＦＰ１００は、通常の速度でＭＦＰ１００から印刷物を直ちに出力する方法（以降、この印刷ジョブの実施方法を「通常の方法」と記すことがある）に、印刷ジョブの実行方法を決定する。
【００７１】
ＭＦＰ１００は、ＭＦＰ１００の状態が会議モードである場合に、「ＥＮＤ」キーＫＹ５２をタッチパネルディスプレイ１２０に表示している。複数の参加者ＭＢのうちいずれかの参加者ＭＢは、ＭＦＰ１００を用いた会議を終了する際に、キーＫＹ５２を押下する。ＭＦＰ１００は、キーＫＹ７の押下を受け付けると、ＭＦＰ１００の状態を会議モードから通常モードに移行させる（会議モードを終了させる）。
【００７２】
図５は、本発明の第１の実施の形態におけるＭＦＰ１００の動作を示すフローチャートである。
【００７３】
図５を参照して、ＭＦＰ１００のＣＰＵ１０１ａは、電源がオンされると、会議モードへの移行指示を受け付けたか否かを判別する（Ｓ１０１）。
【００７４】
ステップＳ１０１において、会議モードへの移行指示を受け付けないと判別した場合（Ｓ１０１でＮＯ）、ＣＰＵ１０１ａは、ステップＳ１０５の処理に進む。
【００７５】
ステップＳ１０１において、会議モードへの移行指示を受け付けたと判別した場合（Ｓ１０１でＹＥＳ）、ＣＰＵ１０１ａは、印刷ジョブの実行方法の設定を受け付け（Ｓ１０３）、ステップＳ１０５の処理に進む。
【００７６】
ステップＳ１０５において、ＣＰＵ１０１ａは、印刷ジョブの実行指示を受け付けたか否かを判別する（Ｓ１０５）。
【００７７】
ステップＳ１０５において、印刷ジョブの実行指示を受け付けないと判別した場合（Ｓ１０５でＮＯ）、ＣＰＵ１０１ａは、ステップＳ１１５の処理に進む。
【００７８】
ステップＳ１０５において、印刷ジョブの実行指示を受け付けたと判別した場合（Ｓ１０５でＹＥＳ）、ＣＰＵ１０１ａは、ＭＦＰ１００の状態が会議モードであるか否かを判別する（Ｓ１０７）。
【００７９】
ステップＳ１０７において、ＭＦＰ１００の状態が会議モードでないと判別した場合（Ｓ１０７でＮＯ）、ＣＰＵ１０１ａは、通常の方法で印刷ジョブ実行し（Ｓ１２１）、ステップＳ１０１の処理に進む。
【００８０】
ステップＳ１０７において、ＭＦＰ１００の状態が会議モードであると判別した場合（Ｓ１０７でＹＥＳ）、ＣＰＵ１０１ａは、印刷ジョブの実行方法を設定された実行方法に決定し（Ｓ１０８）、決定した実行方法をユーザーＵＲに通知する（Ｓ１０９）。次にＣＰＵ１０１ａは、実行する必要のある印刷ジョブがあるか否かを判別する（Ｓ１１１）。
【００８１】
ステップＳ１１１において、実行する必要のある印刷ジョブが無いと判別した場合（Ｓ１１１でＮＯ）、ＣＰＵ１０１ａは、ステップＳ１１５の処理に進む。
【００８２】
ステップＳ１１１において、実行する必要のある印刷ジョブがあると判別した場合（Ｓ１１１でＹＥＳ）、ＣＰＵ１０１ａはその印刷ジョブを実行し（Ｓ１１３）、ステップＳ１１５の処理に進む。
【００８３】
ステップＳ１１５において、ＣＰＵ１０１ａは、会議モードを終了したか否かを判別する（Ｓ１１５）。
【００８４】
ステップＳ１１５において、会議モードを終了しないと判別した場合（Ｓ１１５でＮＯ）、ＣＰＵ１０１ａは、ステップＳ１０３の処理に進む。
【００８５】
ステップＳ１１５において、会議モードを終了したと判別した場合（Ｓ１１５でＹＥＳ）、ＣＰＵ１０１ａは、実行する必要のある印刷ジョブがあるか否かを判別する（Ｓ１１７）。
【００８６】
ステップＳ１１７において、実行する必要のある印刷ジョブが無いと判別した場合（Ｓ１１７でＮＯ）、ＣＰＵ１０１ａは、ステップＳ１０１の処理に進む。
【００８７】
ステップＳ１１７において、実行する必要のある印刷ジョブがあると判別した場合（Ｓ１１７でＹＥＳ）、ＣＰＵ１０１ａはその印刷ジョブを実行し（Ｓ１１９）、ステップＳ１０１の処理に進む。
【００８８】
なお、ＭＦＰ１００を操作中のユーザーが存在するか否かの判別は、上述のように会議モードであるか否かに基づいて行われる場合の他、会議モード以外の特定のモードであるか否かに基づいて行われてもよい。また、タッチパネルディスプレイ１２０が最後に操作されてから所要の時間が経過しているか否かに基づいて行われてもよい。さらに、ＭＦＰ１００にログインしているユーザーの有無に基づいて行われてもよい。
【００８９】
また、会議モード中に受け付けた印刷ジョブの実行方法の設定は、上述のように会議モードに移行させる操作を受け付けた場合に参加者ＭＢによって行われる場合の他、管理者などによって予め（ＭＦＰ１００の使用開始時などに）行われてもよい。
【００９０】
［第２の実施の形態］
【００９１】
図６は、本発明の第２の実施の形態における画像形成システムの動作を説明する図である。
【００９２】
図６（ａ）を参照して、ＭＦＰ１００は、「会議モード」キーＫＹ５１をタッチパネルディスプレイ１２０に表示している。複数の参加者ＭＢのうちいずれかの参加者ＭＢは、ＭＦＰ１００を用いた会議を開始する際に、キーＫＹ５１を押下する。ＭＦＰ１００は、キーＫＹ５１の押下を受け付けると、ＭＦＰ１００の状態を会議モードに移行させる操作を受け付け（処理ＰＲ１１）、会議モードに移行する（処理ＰＲ１２）。
【００９３】
図６（ｂ）を参照して、ＭＦＰ１００は、ユーザーＵＲの端末２００を通じて印刷ジョブの実行指示を受け付けると（処理ＰＲ１３）、第１の実施の形態と同様の方法で、ＭＦＰ１００を操作中のユーザーが存在するか否かを判別する。ここでは、ＭＦＰ１００は会議モードであるので、ＭＦＰ１００を操作中のユーザーが存在すると判別する。
【００９４】
ＭＦＰ１００を操作中のユーザーが存在すると判別した場合、ＭＦＰ１００は、印刷ジョブの情報を含むポップアップ（Ｐｒｉｎｔ情報キー）ＰＰ１をタッチパネルディスプレイ１２０に表示する（処理ＰＲ１４）。
【００９５】
図７は、本発明の第１の実施の形態においてタッチパネルディスプレイ１２０に表示されるポップアップイメージＰＰ１を模式的に示す図である。
【００９６】
図７を参照して、ポップアップイメージＰＰ１は、ＭＦＰ１００が印刷ジョブの実行指示を受け付けた旨を通知するメッセージと、印刷ジョブの情報と、印刷ジョブを会議終了後に実行する旨を通知するメッセージと、印刷ジョブの実行方法を変更する場合にはポップアップイメージＰＰ１の押下を促すメッセージとを含んでいる。印刷ジョブの情報は、印刷ジョブの実行指示を行ったユーザーのＩＤ、印刷ジョブを実行した場合の予想される所要時間、または印刷ジョブの印刷ページ数などを含んでいる。
【００９７】
ポップアップイメージＰＰ１に含まれる印刷ジョブの情報は任意であるが、印刷ジョブの予想される所要時間および印刷ジョブの実行指示を行ったユーザーを特定する情報のうち少なくともいずれかを含んでいることが好ましい。
【００９８】
参加者ＭＢは、ポップアップイメージＰＰ１に含まれる印刷ジョブの情報を見て、会議終了後に印刷することを望む場合には、ポップアップイメージＰＰ１を押下せず無視する。
【００９９】
一方、参加者ＭＢは、ポップアップイメージＰＰ１に含まれる印刷ジョブの情報を見て、会議終了後に印刷する方法以外の方法に印刷ジョブの実行方法を変更することを望む場合には、ポップアップイメージＰＰ１を押下する。ＭＦＰ１００は、ポップアップイメージＰＰ１の押下を受け付けると、印刷ジョブの実行方法の設定を受け付けるポップアップイメージＰＰ２をタッチパネルディスプレイ１２０に表示する。
【０１００】
図８は、本発明の第１の実施の形態においてポップアップイメージＰＰ１が押下された場合にタッチパネルディスプレイ１２０に表示されるポップアップイメージＰＰ２を模式的に示す図である。
【０１０１】
図８を参照して、ポップアップイメージＰＰ２は、印刷ジョブの実行方法の設定を要求するメッセージと、キーＫＹ１１、ＫＹ１２、ＫＹ１３、およびＫＹ１４とを含んでいる。
【０１０２】
キーＫＹ１１は、静音モードでＭＦＰ１００から印刷物を直ちに（会議中に）出力する設定を受け付けるものである。キーＫＹ１２は、ＭＦＰ１００から印刷ジョブの印刷物を出力せずに、印刷ジョブの印刷データをＭＦＰ１００の記憶装置１０７内のボックスに保存する設定を受け付けるものである。キーＫＹ１３は、ＭＦＰ１００とは異なる他の画像形成装置から印刷物を出力する設定を受け付けるものである。キーＫＹ１４は、会議モードが終了した後でＭＦＰ１００から印刷ジョブの印刷物を出力する設定を受け付けるものである。
【０１０３】
なお、ＭＦＰ１００は、印刷ジョブに関する情報を表示せずに（ポップアップイメージＰＰ１を表示せずに）、ポップアップイメージＰＰ２を通じて印刷ジョブの実行方法の設定を受け付けてもよい。
【０１０４】
図６（ｃ）を参照して、ＭＦＰ１００は、ポップアップイメージＰＰ１を表示した場合において、ポップアップイメージＰＰ２を通じて印刷ジョブの実行方法の設定を受け付けた（処理ＰＲ１５）ときは、受け付けた印刷ジョブの実行方法の設定（ポップアップイメージＰＰ２を通じて受け付けた設定）に基づいて、印刷ジョブの実行方法を変更（決定）する（処理ＰＲ１６）。
【０１０５】
図６（ｄ）を参照して、ＭＦＰ１００は、ポップアップイメージＰＰ１を表示した場合において、印刷ジョブの実行方法の設定を受け付けないときは、会議終了後に印刷ジョブを実行するように印刷ジョブの実行方法を変更（決定）する（処理ＰＲ１７）。
【０１０６】
図９は、本発明の第２の実施の形態におけるＭＦＰ１００の動作を示すフローチャートである。
【０１０７】
図９を参照して、ＭＦＰ１００のＣＰＵ１０１ａは、電源がオンされると、印刷ジョブを受け付けたか否かを判別する（Ｓ２０１）。印刷ジョブを受け付けたと判別するまで、ＣＰＵ１０１ａはステップＳ２０１の処理を繰り返す。
【０１０８】
ステップＳ２０１において、印刷ジョブを受け付けたと判別した場合（Ｓ２０１でＹＥＳ）、ＣＰＵ１０１ａは、ＭＦＰ１００の状態が会議モードであるか否かを判別する（Ｓ２０３）。
【０１０９】
ステップＳ２０３において、ＭＦＰ１００の状態が会議モードでないと判別した場合（Ｓ２０３でＮＯ）、ＣＰＵ１０１ａは、通常の方法で印刷ジョブを実行し（Ｓ１２１）、ステップＳ２０１の処理に進む。
【０１１０】
ステップＳ２０３において、ＭＦＰ１００の状態が会議モードであると判別した場合（Ｓ２０３でＹＥＳ）、ＣＰＵ１０１ａは、実行方法決定処理を行う（Ｓ２０５）。その後ＣＰＵ１０１ａは、図５に示すステップＳ１０９以降の処理を行う。
【０１１１】
ステップＳ２０３において、ＭＦＰ１００の状態が会議モードでないと判別した場合（Ｓ２０３でＮＯ）、ＣＰＵ１０１ａは、ステップＳ１２１の処理へ進む。
【０１１２】
ステップＳ１１５において、会議モードを終了しないと判別した場合（Ｓ１１５でＮＯ）、ステップＳ１１７において、実行する必要のある印刷ジョブが無いと判別した場合（Ｓ１１７でＮＯ）、またはステップＳ１１９において、印刷ジョブを実行し（Ｓ１１９）た後、ＣＰＵ１０１ａは、ステップＳ２０１の処理に進む。
【０１１３】
図１０は、図９の実行方法決定処理（Ｓ２０５）のサブルーチンである。
【０１１４】
図１０を参照して、実行方法決定処理において、ＣＰＵ１０１ａは、印刷ジョブの情報をタッチパネルディスプレイ１２０に表示し（Ｓ２５１）、印刷ジョブの実行方法の設定を受け付けたか否かを判別する（Ｓ２５３）。
【０１１５】
ステップＳ２５３において、印刷ジョブの実行方法の設定を受け付けたと判別した場合（Ｓ２５３でＹＥＳ）、ＣＰＵ１０１ａは、受け付けた実行方法に印刷ジョブの実行方法を決定し（Ｓ２５５）、リターンする。
【０１１６】
ステップＳ２５３において、印刷ジョブの実行方法の設定を受け付けないと判別した場合（Ｓ２５３でＮＯ）、ＣＰＵ１０１ａは、会議終了後に印刷物を出力する方法に印刷ジョブの実行方法を決定し（Ｓ２５７）、リターンする。
【０１１７】
なお、上述以外の画像形成システムの構成および動作は、第１の実施の形態の場合と同様であるため、その説明は繰り返さない。
【０１１８】
［第３の実施の形態］
【０１１９】
第３および第４の実施の形態の前提として、ＭＦＰ１００は、図３（ａ）に示す処理ＰＲ１、ＰＲ２、およびＰＲ３を行う。すなわち、ＭＦＰ１００は、ＭＦＰ１００は、ＭＦＰ１００の状態を会議モードに移行させる操作を受け付ける（処理ＰＲ１）。ＭＦＰ１００は、会議モードに移行させる操作を受け付けた場合に、受付画面を通じて、印刷ジョブの実行方法の設定を参加者ＭＢから受け付ける（処理ＰＲ２）。またＭＦＰ１００は、ＭＦＰ１００の状態を会議モードに移行させる操作を受け付けた場合に、会議モードに移行する（処理ＰＲ３）。
【０１２０】
図１１は、本発明の第３の実施の形態における画像形成システムの動作を説明する図である。
【０１２１】
図１１（ａ）を参照して、ＭＦＰ１００は、ユーザーＵＲの端末２００を通じて印刷ジョブの実行指示を受け付けると（処理ＰＲ４）、ＭＦＰ１００を操作中のユーザーが存在するか否かを判別する。
【０１２２】
本実施の形態では、ＭＦＰ１００の状態が会議モードである場合において、タッチパネルディスプレイ１２０が最後に操作されてから所要の時間が経過していないときは、ＭＦＰ１００は、ＭＦＰ１００を操作中のユーザーが存在すると判別する。会議が進行中であると推測されるためである。ＭＦＰ１００を操作中のユーザーが存在すると判別した場合、ＭＦＰ１００は、事前に受け付けた印刷ジョブの実行方法の設定（図４に示す画面を通じて受け付けた設定）に基づいて、印刷ジョブの実行方法を変更（決定）する（処理ＰＲ３１）。
【０１２３】
一方、ＭＦＰ１００の状態が会議モードである場合において、タッチパネルディスプレイ１２０が最後に操作されてから所要の時間が経過しているとき（但し、参加者ＭＢのログイン状態は継続中であるものとする）は、ＭＦＰ１００は、ＭＦＰ１００を操作中のユーザーが存在しないと判別する。会議が中断し、参加者ＭＢが会話中であると推測されるためである。ＭＦＰ１００を操作中のユーザーが存在しないと判別した場合、ＭＦＰ１００は、印刷ジョブの実行方法を通常の方法に決定し、印刷物を直ちに出力する（処理ＰＲ３２）。
【０１２４】
なお、ＭＦＰ１００は、上述のように印刷ジョブの実行指示を受け付ける前に印刷ジョブの実行方法の設定を受け付ける代わりに、印刷ジョブの実行指示を受け付けた場合において、ＭＦＰ１００を操作中のユーザーが存在するときに（第２の実施の形態と同様の方法で）、印刷ジョブの実行方法の設定を受け付け、その設定に基づいて印刷ジョブの実行方法を決定してもよい。
【０１２５】
図１２は、本発明の第３の実施の形態におけるＭＦＰ１００の動作を示すフローチャートである。
【０１２６】
図１２を参照して、ＭＦＰ１００のＣＰＵ１０１ａは、電源がオンされると、図５に示すステップＳ１０１〜Ｓ１０７の処理を行う。
【０１２７】
ステップＳ１０７において、ＭＦＰ１００の状態が会議モードであると判別した場合（Ｓ１０７でＹＥＳ）、ＣＰＵ１０１ａは、タッチパネルディスプレイ１２０が一定時間内に操作されたか否かを判別する（Ｓ３０１）。
【０１２８】
ステップＳ３０１において、タッチパネルディスプレイ１２０が一定時間内に操作されたと判別した場合（Ｓ３０１でＹＥＳ）、ＣＰＵ１０１ａは、印刷ジョブの実行方法を設定された実行方法に決定する（Ｓ３０３）。その後ＣＰＵ１０１ａは、図５に示すステップＳ１０９以降の処理を行う。
【０１２９】
ステップＳ３０１において、タッチパネルディスプレイ１２０が一定時間内に操作されないと判別した場合（Ｓ３０１でＮＯ）、ＣＰＵ１０１ａは、通常の方法で印刷ジョブ実行し（Ｓ１２１）、ステップＳ１０１の処理に進む。
【０１３０】
なお、上述以外の画像形成システムの構成および動作は、第１の実施の形態の場合と同様であるため、その説明は繰り返さない。
【０１３１】
［第４の実施の形態］
【０１３２】
図１３は、本発明の第４の実施の形態における画像形成システムの動作を説明する図である。
【０１３３】
図１３（ａ）を参照して、ＭＦＰ１００は、ユーザーＵＲの端末２００を通じて印刷ジョブの実行指示を受け付けると（処理ＰＲ４）、第１の実施の形態と同様の方法で、ＭＦＰ１００を操作中のユーザーが存在するか否かを判別する。ここでは、ＭＦＰ１００は会議モードであるので、ＭＦＰ１００を操作中のユーザーが存在すると判別する。
【０１３４】
ＭＦＰ１００を操作中のユーザーが存在すると判別した場合、ＭＦＰ１００は、ユーザーＵＲに対してＭＦＰ１００が現在会議モードである旨を通知し、ユーザーＵＲに対して印刷ジョブの実行方法の設定を要求する（処理ＰＲ４１）。この通知および要求は、ポップアップイメージを端末２００の表示部２０２に表示することにより行われてもよいし、ユーザーＵＲに対して電子メールを送信することにより行われてもよい。
【０１３５】
端末２００は、印刷ジョブの実行方法の設定をユーザーＵＲから受け付けた場合、その設定をＭＦＰ１００に送信する（処理ＰＲ４２）。
【０１３６】
ＭＦＰ１００は、処理ＰＲ４１の通知を行ってから所定時間内に印刷ジョブの実行方法の設定を端末２００から受け付けた場合、受け付けた設定に従って印刷ジョブの実行方法を変更（決定）する（処理ＰＲ４３）。
【０１３７】
図１３（ｂ）を参照して、ＭＦＰ１００は、処理ＰＲ４１の通知を行ってから所定時間が経過しても印刷ジョブの実行方法の設定を端末２００から受け付けない場合、参加者ＭＢから受け付けた設定（処理ＰＲ２で受け付けた設定）に従って印刷ジョブの実行方法を変更（決定）する（処理ＰＲ４４）。この場合、ＭＦＰ１００は、電子メールなどで変更後の印刷ジョブの実行方法を端末２００に通知してもよい。
【０１３８】
なお、ＭＦＰ１００は、上述のように印刷ジョブの実行指示を受け付ける前に参加者ＭＢから印刷ジョブの実行方法の設定を受け付ける代わりに、処理ＰＲ４１の通知を行ってから所定時間が経過しても印刷ジョブの実行方法の設定を端末２００から受け付けない場合に、参加者ＭＢから印刷ジョブの実行方法の設定を受け付け、その設定に基づいて印刷ジョブの実行方法を決定してもよい。
【０１３９】
図１４は、本発明の第４の実施の形態における、ＭＦＰ１００が現在会議モードである旨を通知するポップアップイメージＰＰ３を模式的に示す図である。
【０１４０】
図１４を参照して、ポップアップイメージＰＰ３は、ＭＦＰ１００が会議中である旨を通知するメッセージと、会議の終了予定時刻と、参加者ＭＢによって設定されている印刷ジョブの実行方法と、印刷ジョブの実行方法を変更する場合にはキーの押下を促すメッセージと、キーＫＹ２１、ＫＹ２２、ＫＹ２３、ＫＹ２４、およびＫＹ２５とを含んでいる。
【０１４１】
キーＫＹ２１は、印刷ジョブの実行を中止する設定を受け付けるものである。キーＫＹ２２は、会議中のユーザーである全ての参加者ＭＢがログアウトするまで、印刷ジョブの実行を保留する設定を受け付けるものである。キーＫＹ２３は、印刷ジョブの印刷データをＭＦＰ１００の記憶装置１０７内のボックスに保存する設定を受け付けるものである。キーＫＹ２４は、ＭＦＰ１００とは異なる他の画像形成装置から印刷物を出力する設定を受け付けるものである。キーＫＹ２５は、会議モードが終了した後でＭＦＰ１００から印刷ジョブの印刷物を出力する設定を受け付けるものである。
【０１４２】
なお、ユーザーＵＲに対してＭＦＰ１００が現在会議モードである旨を通知する際、ＭＦＰ１００は、ポップアップイメージＰＰ３を表示部２０２に表示させる代わりに、ポップアップイメージＰＰ４を表示部２０２に表示させてもよい。
【０１４３】
図１５は、本発明の第４の実施の形態における、ＭＦＰ１００が現在会議モードである旨を通知するポップアップイメージＰＰ４を模式的に示す図である
【０１４４】
図１５を参照して、ポップアップイメージＰＰ４は、ＭＦＰ１００が会議中である旨を通知するメッセージと、会議の終了予定時刻と、参加者ＭＢによって設定されている印刷ジョブの実行方法と、印刷ジョブを実行するＭＦＰを変更する場合にはキーの押下を促すメッセージと、キーＫＹ２６、ＫＹ２７、ＫＹ２８、およびＫＹ２９とを含んでいる。
【０１４５】
キーＫＹ２６、ＫＹ２７、ＫＹ２８、およびＫＹ２９の各々は、印刷ジョブを実行するＭＦＰとして、それぞれ自機（ＭＦＰ１００）、会議室Ａに設置されたＭＦＰ、会議室Ｂに設置されたＭＦＰ、および会議室Ｃに設置されたＭＦＰの選択を受け付けるものである。
【０１４６】
キーＫＹ２７、ＫＹ２８，またはＫＹ２９の押下を受け付けた場合、ＭＦＰ１００は、そのキーに対応するＭＦＰに印刷ジョブを転送する。キーＫＹ２６の押下を受け付けた場合、ＭＦＰ１００は、図１４に示すポップアップイメージＰＰ３を表示し、印刷ジョブの実行方法の設定を受け付ける。
【０１４７】
図１６は、本発明の第４の実施の形態におけるＭＦＰ１００の動作を示すフローチャートである。
【０１４８】
図１６を参照して、ＭＦＰ１００のＣＰＵ１０１ａは、電源がオンされると、図５に示すステップＳ１０１〜Ｓ１０７の処理を行う。
【０１４９】
ステップＳ１０７において、ＭＦＰ１００の状態が会議モードであると判別した場合（Ｓ１０７でＹＥＳ）、ＣＰＵ１０１ａは、実行方法決定処理を行う（Ｓ４０１）。その後ＣＰＵ１０１ａは、図５に示すステップＳ１０９以降の処理を行う。
【０１５０】
図１７は、図１６の実行方法決定処理（Ｓ４０１）のサブルーチンである。
【０１５１】
図１７を参照して、実行方法決定処理において、ＣＰＵ１０１ａは、印刷実行者であるユーザーＵＲに対してＭＦＰ１００が現在会議モードである旨を通知し（Ｓ４５１）、ユーザーＵＲから印刷ジョブの実行方法の設定を受け付けたか否かを判別する（Ｓ４５３）。
【０１５２】
ステップＳ４５３において、印刷ジョブの実行方法の設定を受け付けたと判別した場合（Ｓ４５３でＹＥＳ）、ＣＰＵ１０１ａは、ユーザーＵＲが設定した実行方法に印刷ジョブの実行方法を決定し（Ｓ４５５）、リターンする。
【０１５３】
ステップＳ４５３において、印刷ジョブの実行方法の設定を受け付けたと判別した場合（Ｓ２５３でＹＥＳ）、ＣＰＵ１０１ａは、会議の参加者ＭＢが設定した実行方法に印刷ジョブの実行方法を決定し（Ｓ４５７）、リターンする。
【０１５４】
なお、上述以外の画像形成システムの構成および動作は、第１の実施の形態の場合と同様であるため、その説明は繰り返さない。
【０１５５】
［実施の形態の効果］
【０１５６】
上述の実施の形態によれば、ＭＦＰ１００に印刷ジョブが投入された場合において、タッチパネルディスプレイ１２０を操作中のユーザーが存在するときに、印刷ジョブの処理方法が変更される。これにより、ＭＦＰ１００を操作中のユーザーによるタッチパネルディスプレイ１２０の操作やジョブの実行作業が妨げられる事態を回避することができる。その結果、ＭＦＰ１００を操作するユーザーの利便性を向上することができる。
【０１５７】
第１の実施の形態によれば、ＭＦＰ１００は印刷ジョブの実行指示を受け付ける前に印刷ジョブの実行方法の設定を受け付けるので、参加者ＭＢは、会議中にＭＦＰ１００に印刷ジョブが投入された場合に、印刷ジョブの実行方法の設定を行わなくてもよくなる。
【０１５８】
第２の実施の形態によれば、ＭＦＰ１００は印刷ジョブの実行指示を受け付けた後で印刷ジョブの実行方法の設定を受け付けるので、参加者ＭＢは、印刷ジョブの内容に応じて適切な実行方法を設定することができる。
【０１５９】
第３の実施の形態によれば、会議が中断している場合にはＭＦＰ１００から通常の方法で印刷物が出力されるので、参加者ＭＢに与える不快感を抑止しつつユーザーＵＲの利便性を向上することができる。
【０１６０】
第４の実施の形態によれば、会議中にＭＦＰ１００に印刷ジョブが投入された場合に、参加者ＭＢから受け付けた設定よりもユーザーＵＲから受け付けた設定を優先して印刷ジョブの実行方法が決定されるので、ユーザーＵＲの利便性を向上することができる。
【０１６１】
［その他］
【０１６２】
上述の実施の形態は互いに組み合わせることができる。たとえば、第１の実施の形態の変形例の構成である、ＭＦＰ１００を操作中のユーザーが存在するか否かの判別がＭＦＰ１００にログインしているユーザーの有無に基づいて行われる構成と、第２〜第４の実施の形態の各々の構成とは、適宜組み合わせることが可能である。また、第１の実施の形態のように印刷ジョブの実行指示を受け付ける前に、印刷ジョブの実行方法の設定を受け付ける構成と、第２の実施の形態のように印刷ジョブの実行指示を受け付けた後で、印刷ジョブの実行方法の設定を受け付ける構成とを組み合わせることが可能である。この場合、上述の２つのタイミングのうちいずれのタイミングで印刷ジョブの実行方法の設定を受け付けるかの選択を、ＭＦＰ１００は参加者ＭＢなどから予め受け付けてもよい。
【０１６３】
上述の実施の形態における処理は、ソフトウェアにより行っても、ハードウェア回路を用いて行ってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピューターにより実行される。また、プログラムはインターネットなどの通信回線を介して、装置にダウンロードするようにしてもよい。
【０１６４】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１６５】
１００  ＭＦＰ（Ｍｕｌｔｉｆｕｎｃｔｉｏｎ  Ｐｅｒｉｐｈｅｒａｌ）
１０１  システムコントローラー
１０１ａ，２０１ａ  ＣＰＵ（Ｃｅｎｔｒａｌ  Ｐｒｏｃｅｓｓｉｎｇ  Ｕｎｉｔ）
１０１ｂ，２０１ｂ  ＲＯＭ（Ｒｅａｄ  Ｏｎｌｙ  Ｍｅｍｏｒｙ）
１０２，２０２  表示部
１０３，２０３  操作部
１０４  無線通信制御部
１０５  顔認識部
１０６  音声認識部
１０７，２０５  記憶装置
１０８  出力画像処理部
１０９  プリンターエンジン
１１０，２０４  ネットワークインターフェース
１１１，２０６  メモリ
１１２  入力画像処理部
１１３  撮像部
１２０  タッチパネルディスプレイ（操作表示部の一例）
２００  端末
２０１  制御部
３００  ネットワーク
ＩＭ  画像
ＫＹ１，ＫＹ２，ＫＹ３，ＫＹ４，ＫＹ５，ＫＹ６，ＫＹ７，ＫＹ１１，ＫＹ１２，ＫＹ１３，ＫＹ１４，ＫＹ２１，ＫＹ２２，ＫＹ２３，ＫＹ２４，ＫＹ２５，ＫＹ２６，ＫＹ２７，ＫＹ２８，ＫＹ２９，ＫＹ５１，ＫＹ５２，  キー
ＭＢ  会議の参加者
ＰＰ１，ＰＰ２，ＰＰ３，ＰＰ４  ポップアップイメージ
ＰＲ１，ＰＲ２，ＰＲ３，ＰＲ４，ＰＲ５，ＰＲ１１，ＰＲ１２，ＰＲ１３，ＰＲ１４，ＰＲ１５，ＰＲ１６，ＰＲ１７，ＰＲ３１，ＰＲ３２，ＰＲ４１，ＰＲ４２，ＰＲ４３，ＰＲ４４  処理
ＵＲ  端末のユーザー
【図１】
0006582977.tif 000002
【図２】
0006582977.tif 000003
【図３】
0006582977.tif 000004
【図４】
0006582977.tif 000005
【図５】
0006582977.tif 000006
【図６】
0006582977.tif 000007
【図７】
0006582977.tif 000008
【図８】
0006582977.tif 000009
【図９】
0006582977.tif 000010
【図１０】
0006582977.tif 000011
【図１１】
0006582977.tif 000012
【図１２】
0006582977.tif 000013
【図１３】
0006582977.tif 000014
【図１４】
0006582977.tif 000015
【図１５】
0006582977.tif 000016
【図１６】
0006582977.tif 000017
【図１７】
0006582977.tif 000018